(57)【要約】【課題】滑り防止領域によるグリップ部の把持時の滑りにくさと、間隙部による装着者に対するより高いフィット感との双方を満足することが可能な手袋を提供する。【解決手段】手袋１００は、装着した際に装着者の掌側を覆う手掌側被覆部１を備える。手掌側被覆部１は、装着者の掌側から薬指を覆う手掌側薬指部１４と、装着者の掌側から小指を覆う手掌側小指部１５と、装着者の掌側から親指を覆う手掌側親指部１１と、装着者の掌側から人差指を覆う手掌側人差指部１２と、装着者が手を握った時に手掌側薬指部１４および手掌側小指部１５が対向する薬指小指対向部１７とを含む。手掌側薬指部１４、手掌側小指部１５および薬指小指対向部１７には滑り防止領域３０が形成されている。手掌側薬指部１４および手掌側小指部１５と薬指小指対向部１７との間に挟まれた間隙部１８、ならびに手掌側親指部１１および手掌側人差指部１２には滑り防止領域３０が形成されていない。【選択図】図１
2017086552.tif 000002
【特許請求の範囲】
【請求項１】
装着した際に装着者の掌側を覆う手掌側被覆部を備える手袋であって、
前記手掌側被覆部は、装着者の掌側から薬指を覆う手掌側薬指部と、装着者の掌側から小指を覆う手掌側小指部と、装着者の掌側から親指を覆う手掌側親指部と、装着者の掌側から人差指を覆う手掌側人差指部と、装着者が手を握った時に前記手掌側薬指部および前記手掌側小指部が対向する薬指小指対向部とを含み、
前記手掌側薬指部、前記手掌側小指部および前記薬指小指対向部には滑り防止領域が形成されており、
前記手掌側薬指部および前記手掌側小指部と前記薬指小指対向部との間に挟まれた間隙部、ならびに前記手掌側親指部および前記手掌側人差指部には前記滑り防止領域が形成されていない、手袋。
【請求項２】
前記手掌側被覆部は、装着者の掌側から中指を覆う手掌側中指部をさらに含み、
前記手掌側中指部には前記滑り防止領域が形成されている、請求項１に記載の手袋。
【請求項３】
前記手掌側被覆部は、装着者が手を握った時に前記手掌側中指部が対向する中指対向部をさらに含み、
前記中指対向部には前記滑り防止領域が形成されている、請求項２に記載の手袋。
【請求項４】
前記滑り防止領域は、可とう性を有するベース部と、前記ベース部の表面上に形成され樹脂からなる格子状パターンとを含む、請求項１〜３のいずれか１項に記載の手袋。
【請求項５】
前記格子状パターンは、装着者が把持するグリップ軸の延在方向に沿う第１方向に延びる第１パターンと、前記第１方向とは異なりかつ装着者が把持するグリップ軸の延在方向に対して交差する第２パターンとを含む、請求項４に記載の手袋。
【請求項６】
前記ベース部は合成皮革からなり、
前記格子状パターンはシリコン樹脂からなる、請求項４または５に記載の手袋。
【発明の詳細な説明】
【技術分野】
【０００１】
本発明は手袋に関し、特にゴルフなどのスポーツ用の手袋に関するものである。
【背景技術】
【０００２】
スポーツ、特にゴルフ用の手袋は、クラブのグリップ部を握ったときに滑りにくくする部材等の特徴を有することが好ましい。このような特徴を有する手袋が、たとえば実開平５−２０７７６号公報（特許文献１）および実用新案登録第３０６２５７９号公報（特許文献２）に開示されている。
【先行技術文献】
【特許文献】
【０００３】
【特許文献１】実開平５−２０７７６号公報
【特許文献２】実用新案登録第３０６２５７９号公報
【発明の概要】
【発明が解決しようとする課題】
【０００４】
しかしながらゴルフ用の手袋としては、上記のように滑らないようにクラブのグリップ部を確実に把持可能な構成を有するのみでは不十分である。すなわち当該手袋には、上記の滑りにくさに加えて、装着者に対して快適な装着感（フィット感）を与えることが要求される。このようなフィット感を向上させるか否かについて、上記の実開平５−２０７７６号公報および実用新案登録第３０６２５７９号公報には開示も示唆もされない。したがって実開平５−２０７７６号公報および実用新案登録第３０６２５７９号公報に開示の手袋においては、フィット感をより向上させる余地があると思われる。
【０００５】
本発明は以上の問題に鑑みてなされたものであり、その目的は、クラブのグリップ部を確実に把持可能な滑りにくさと、装着者に対するより高いフィット感との双方を満足することが可能な手袋を提供することである。
【課題を解決するための手段】
【０００６】
本発明に係る手袋は、装着した際に装着者の掌側を覆う手掌側被覆部を備える。手掌側被覆部は、装着者の掌側から薬指を覆う手掌側薬指部と、装着者の掌側から小指を覆う手掌側小指部と、装着者の掌側から親指を覆う手掌側親指部と、装着者の掌側から人差指を覆う手掌側人差指部と、装着者が手を握った時に手掌側薬指部および手掌側小指部が対向する薬指小指対向部とを含む。手掌側薬指部、手掌側小指部および薬指小指対向部には滑り防止領域が形成されている。手掌側薬指部および手掌側小指部と薬指小指対向部との間に挟まれた間隙部、ならびに手掌側親指部および手掌側人差指部には滑り防止領域が形成されていない。
【発明の効果】
【０００７】
本発明によれば、滑り防止領域によるグリップ部の把持時の滑りにくさと、間隙部による装着者に対するより高いフィット感との双方を満足することが可能な手袋を提供することができる。
【図面の簡単な説明】
【０００８】
【図１】実施の形態１に係る手袋の手掌側被覆部の構成を示す概略図である。
【図２】図１中の点線で囲まれた領域ＩＩの概略拡大図である。
【図３】実施の形態２に係る手袋の手掌側被覆部の構成を示す概略図である。
【図４】実施の形態３に係る手袋の手掌側被覆部の構成を示す概略図である。
【図５】実施の形態４に係る手袋の手掌側被覆部の構成を示す概略図である。
【発明を実施するための形態】
【０００９】
以下、本発明の実施の形態について図に基づいて説明する。
（実施の形態１）
＜手袋の構成＞
まず本実施の形態の手袋の構成について図１および図２を用いて説明する。
【００１０】
図１を参照して、本実施の形態の手袋１００は通常ゴルフ競技に用いるものであり、手掌側被覆部１を備えている。手掌側被覆部１は、当該手袋１００のうち、これを装着した装着者の掌側（ただし後述するように薬指袋ｆ４などの、滑り防止領域３０の配置された指袋の部分を除く）を覆う領域である。図１は主に手掌側被覆部１の構成を示している。手掌側被覆部１の本体である手掌側本体部１６は、基本的にはたとえば人工皮革や合成皮革、天然皮革、合成繊維などにより形成されている。
【００１１】
手袋１００は、これを装着した装着者の各指を収納する５つの指袋を有している。具体的には、手袋１００は、装着者の親指を収納する親指袋ｆ１と、装着者の人差指を収納する人差指袋ｆ２と、装着者の中指を収納する中指袋ｆ３と、装着者の薬指を収納する薬指袋ｆ４と、装着者の小指を収納する小指袋ｆ５とを有している。
【００１２】
親指袋ｆ１は、収納した親指を装着者の掌側から覆う手掌側親指部１１を含んでいる。以下同様に、人差指袋ｆ２は、収納した人差指を装着者の掌側から覆う手掌側人差指部１２を含んでいる。中指袋ｆ３は、収納した中指を装着者の掌側から覆う手掌側中指部１３を含んでいる。薬指袋ｆ４は、収納した薬指を装着者の掌側から覆う手掌側薬指部１４を含んでいる。小指袋ｆ５は、収納した小指を装着者の掌側から覆う手掌側小指部１５を含んでいる。図１においては、特にこれらのうち手掌側親指部１１、手掌側人差指部１２および手掌側中指部１３は、手掌側被覆部１に含まれている。
【００１３】
それぞれの指袋ｆ１〜ｆ５の延びる方向に交差する方向の端部、すなわち手掌側被覆部１とその裏側の図示されない装着者の手の甲側を覆うたとえば人工皮革により形成された手甲側被覆部との境界部には、手掌側被覆部１と手甲側被覆部とを接続する指接続部ｆｃが形成されている。手掌側親指部１１、手掌側人差指部１２、手掌側中指部１３、手掌側薬指部１４および手掌側小指部１５は、概ね各指袋ｆ１〜ｆ５のうち手掌側被覆部１側において指接続部ｆｃに挟まれる領域（指接続部ｆｃを外縁とする領域）として形成されている。
【００１４】
手掌側被覆部１は、上記の手掌側親指部１１などの他に、手掌側本体部１６を有している。手掌側本体部１６は手掌側被覆部１のうち指袋（図１における親指袋ｆ１、人差指袋ｆ２および中指袋ｆ３）以外の部分、すなわち装着者の指を除く掌本体を覆う部分である。手掌側本体部１６は、薬指小指対向部１７と、間隙部１８とを有している。
【００１５】
薬指小指対向部１７は、手袋１００の装着者が手を握った時に手掌側薬指部１４および手掌側小指部１５が対向する領域である。すなわち薬指小指対向部１７は、手掌側本体部１６のうち比較的手掌側小指部１５側（図１の右側）の領域であり、特に手掌側薬指部１４および手掌側小指部１５から中指袋ｆ３の延在する方向に関して図１のほぼ真下（装着者の手首を覆う部分）側に配置された領域である。
【００１６】
ただし薬指小指対向部１７は、手掌側薬指部１４および手掌側小指部１５と連続するように形成されてはおらず、これらの間に間隔が設けられている。すなわち手掌側薬指部１４および手掌側小指部１５と、薬指小指対向部１７との間には、間隙部１８が設けられている。すなわち間隙部１８も薬指小指対向部１７と同様に、手掌側薬指部１４および手掌側小指部１５から中指袋ｆ３の延在する方向に関して図１のほぼ真下（装着者の手首を覆う部分）側に配置された領域である。
【００１７】
手袋１００においては、特に手掌側薬指部１４、手掌側小指部１５および薬指小指対向部１７に滑り防止領域３０が形成されている。
【００１８】
図２を参照して、手掌側被覆部１における滑り防止領域３０は、手掌側被覆部１を構成する人工皮革などの上に滑り防止用の部材を重畳するように配置し、当該滑り防止用の部材を手掌側被覆部１に縫着したり、滑り防止用の部材の全面を手掌側被覆部１の表面上に接着することにより形成されている。ただし手掌側薬指部１４および手掌側小指部１５における滑り防止領域３０は、手掌側被覆部１を構成する人工皮革などの上に重畳するわけではなく、滑り防止領域３０のみにより構成されている。その手掌側薬指部１４および手掌側小指部１５における滑り防止領域３０は、手甲側被覆部との境界部である指接続部ｆｃ、または手掌側薬指部１４などの外側に配置される手掌側本体部１６に縫着することにより、これらと接続されている。
【００１９】
滑り防止領域３０は、格子状パターン１０と、ベース部２０とを有している。ベース部２０は、たとえば可とう性を有する部材よりなるシート状の部材であり、たとえばその外縁部に隣接する領域において縫合部４０により手掌側被覆部１に縫着されている。より具体的には、ベース部２０を構成する可とう性を有する部材として、たとえば合成皮革を用いることができ、特にスエード状の合成皮革を用いることが好ましい。
【００２０】
格子状パターン１０は、ベース部２０の表面上に形成され樹脂からなるパターンである。格子状パターン１０は、平面視において２種類の延びる方向が互いに異なるパターン同士が交差することにより格子状に並ぶ模様として形成されている。具体的には、格子状パターン１０は、図１および図２の左上側から右下側に向けて延びる直線状の第１パターン１０ａと、図１および図２の右上側から左下側に向けて延びる直線状の第２パターン１０ｂとを有している。すなわち第１パターン１０ａおよび第２パターン１０ｂは、いずれも各指袋ｆ１〜ｆ５の延びる方向に対して斜め方向に延びており、これらは互いに交差することにより格子状（図１および図２における菱形状）を形成している。なお格子状パターン１０を構成する第１パターン１０ａおよび第２パターン１０ｂは、たとえばシリコン樹脂からなることが好ましい。
【００２１】
第１パターン１０ａの延びる方向は、手袋１００の装着者が把持するたとえばゴルフのグリップ軸の延在方向に沿う方向である。また第２パターン１０ｂの延びる方向は、第１パターン１０ａの延びる方向とは異なり、かつ手袋１００の装着者が把持するたとえばゴルフのグリップ軸の延在方向に対して交差する（グリップ軸の延在方向に沿う方向とは異なる）方向である。
【００２２】
第１パターン１０ａおよび第２パターン１０ｂは、いずれも複数、互いにほぼ平行に延びるように配置されている。そして隣り合う１対の互いにほぼ平行な第１パターン１０ａの中心線間の間隔、および隣り合う１対の互いにほぼ平行な第２パターン１０ｂの中心線間の間隔は、任意に選択した隣り合う１対の第１パターン１０ａ（または第２パターン１０ｂ）のいずれの間においてもほぼ等しくなっている。
【００２３】
第１パターン１０ａおよび第２パターン１０ｂは、たとえばその線幅が０．５ｍｍ以上３．０ｍｍ以下であることが好ましく、その中でも１．３ｍｍ以上２．０ｍｍ以下であることが特に好ましい。また隣り合う１対のパターンの中心線同士の間隔がたとえば２ｍｍ以上５ｍｍ以下であることが好ましく、その中でも２．５ｍｍ以上４．５ｍｍ以下であることが特に好ましい。
【００２４】
ただし手袋１００においては、滑り防止領域３０は上記の手掌側薬指部１４、手掌側小指部１５および薬指小指対向部１７以外の領域には形成されておらず、特に間隙部１８、ならびに手掌側親指部１１および手掌側人差指部１２には設けられていない。すなわちこれらの領域においては、手掌側被覆部１を構成する部材としてのたとえば人工皮革が露出している。
【００２５】
＜作用効果＞
次に、本実施の形態の作用効果について説明する。
【００２６】
本実施の形態の手袋１００は、上記のように手掌側薬指部１４、手掌側小指部１５および薬指小指対向部１７に滑り防止領域３０が形成されている。滑り防止領域３０は、樹脂（特にシリコン樹脂）からなる格子状パターン１０により周囲の領域よりも摩擦抵抗が高く、接触した物体に対する滑りが抑制された領域である。これにより、装着者がゴルフクラブのグリップ部などを握った際に手からグリップ部の表面が滑るなどの不具合を抑制することができ、当該グリップ部などを確実に把持することができる。
【００２７】
また滑り防止領域３０は可とう性を有する（たとえば合成皮革からなる）ベース部２０を含むことから、装着者の手の動きに応じて柔軟に変形することができる。
【００２８】
ただし本実施の形態の手袋１００は上記の手掌側薬指部１４、手掌側小指部１５および薬指小指対向部１７以外の領域、特に間隙部１８、手掌側親指部１１および手掌側人差指部１２には形成されておらず、これらの領域には手掌側被覆部１を構成する部材としてのたとえば人工皮革のみが配置されている。これは以下の理由に基づく。
【００２９】
たとえばゴルフクラブを握ってスイングする際に、装着者の手がクラブに対して特に大きな力を加える部分が、小指、薬指およびこれらに対向する部分である。このためこれらの部分に対応する手袋１００の手掌側薬指部１４、手掌側小指部１５および薬指小指対向部１７に滑り防止領域３０が形成されることにより、把持力がより高められる。
【００３０】
ところが装着者の手のうち特に親指および人差指は、スイングの際にクラブに対してさほど大きな力を加えない。薬指および小指とこれらに対向する部分との間の領域についても同様である。このためこの領域に滑り防止領域３０を設けてもさほど把持力は高められず、むしろ滑り防止領域３０は柔軟性が低いため、装着者の手に対して与えるフィット感を低下させる可能性がある。
【００３１】
したがって特に、手掌側親指部１１、手掌側人差指部１２および間隙部１８には滑り防止領域３０が形成されない。このため装着者の手の動きの変化（たとえば手を開いたり手を握ったりの動作の変化）に応じて手袋１００全体が柔軟に変形することができ、装着者は手をより容易に開閉することができる。したがって装着者に対して良好な装着感（フィット感）を与えることができる。
【００３２】
また本実施の形態の手袋１００は、第１パターン１０ａと第２パターン１０ｂとが互いに交差するように延びており、かつ第１パターン１０ａは装着者が把持するグリップ軸の延在方向に、第２パターン１０ｂは装着者が把持するグリップ軸の延在方向に対して交差する（グリップ軸の延在方向に沿う方向とは異なる）方向に延びている。このため、第１パターン１０ａは装着者の手からのグリップの抜けを抑制し第２パターン１０ｂはグリップの回転を抑制する。これにより、第１パターン１０ａおよび第２パターン１０ｂは装着者が握ったグリップ軸が格子状パターン１０に対して滑る可能性をより低減させることができる。
【００３３】
（実施の形態２）
＜手袋の構成＞
まず本実施の形態の手袋の構成について図３を用いて説明する。
【００３４】
図３を参照して、本実施の形態の手袋２００は基本的に実施の形態１の手袋１００と同様の構成を有している。ただし手袋２００においては、手袋１００と同様の手掌側薬指部１４、手掌側小指部１５および薬指小指対向部１７における滑り防止領域３０に加え、手掌側中指部１３にも滑り防止領域３０が形成されている。手掌側中指部１３における滑り防止領域３０の構成は、基本的に手掌側薬指部１４、手掌側小指部１５および薬指小指対向部１７における滑り防止領域３０の構成と同様であるため、ここでは説明を省略する。
【００３５】
なお、これ以外の本実施の形態の構成は、実施の形態１の構成とほぼ同じであるため同一の要素については同一の符号を付し、その説明は繰り返さない。
【００３６】
＜作用効果＞
本実施の形態の手袋２００のように手掌側中指部１３にも滑り防止領域３０が形成されていてもよい。このようにすれば、中指でゴルフクラブのグリップを強く握る装着者に対しては手からグリップ部の表面が滑るなどの不具合をより確実に抑制することができ、当該グリップ部などをより確実に把持することができる。
【００３７】
（実施の形態３）
＜手袋の構成＞
まず本実施の形態の手袋の構成について図４を用いて説明する。
【００３８】
図４を参照して、本実施の形態の手袋３００は基本的に実施の形態１の手袋１００と同様の構成を有している。ただし手袋３００においては、手袋１００と同様の手掌側薬指部１４、手掌側小指部１５および薬指小指対向部１７における滑り防止領域３０に加え、中指対向部１９にも滑り防止領域３０が形成されている。中指対向部１９における滑り防止領域３０の構成は、基本的に手掌側薬指部１４、手掌側小指部１５および薬指小指対向部１７における滑り防止領域３０の構成と同様であるため、ここでは説明を省略する。
【００３９】
中指対向部１９は、手袋３００の装着者が手を握った時に手掌側中指部１３が対向する領域である。すなわち中指対向部１９は、手掌側本体部１６のうち薬指小指対向部１７から手掌側親指部１１側に延長された領域であり、特に手掌側中指部１３から中指袋ｆ３の延在する方向に関して図１のほぼ真下（装着者の手首を覆う部分）側に配置された領域である。
【００４０】
すなわち手袋３００の手掌側本体部１６は、薬指小指対向部１７と間隙部１８とに加え、中指対向部１９を有している。この実施例では中指対向部１９は薬指小指対向部１７から連続して設けられていて、手掌側薬指部１４および手掌側小指部１５と連続するように形成されてはおらず、これらの間に間隔が設けられている。すなわち手掌側薬指部１４および手掌側小指部１５と、中指対向部１９との間には、滑り防止領域３０の形成されない間隙部１８が設けられている。
【００４１】
なお、これ以外の本実施の形態の構成は、実施の形態１の構成とほぼ同じであるため同一の要素については同一の符号を付し、その説明は繰り返さない。
【００４２】
＜作用効果＞
本実施の形態の手袋３００のように中指対向部１９にも滑り防止領域３０が形成されていてもよい。このようにすれば、実施の形態１，２の手袋１００，２００よりも滑り防止領域３０の面積が広くなる分だけ、装着者がゴルフクラブのグリップ部などを握った際に手からグリップ部の表面が滑るなどの不具合をより確実に抑制することができ、当該グリップ部などをより確実に把持することができる。
【００４３】
また手掌側薬指部１４および手掌側小指部１５と、中指対向部１９との間には、滑り防止領域３０が形成されておらず、これらの領域には手掌側被覆部１を構成する部材としてのたとえば人工皮革のみが配置されている。このため装着者の手の動きの変化（たとえば手を開いたり手を握ったりの動作の変化）に応じて手袋３００全体が柔軟に変形することができる、装着者は手をより容易に開閉することができる。したがって装着者に対して良好な装着感（フィット感）を与えることができる。
【００４４】
（実施の形態４）
＜手袋の構成＞
まず本実施の形態の手袋の構成について図５を用いて説明する。
【００４５】
図５を参照して、本実施の形態の手袋４００は、基本的に実施の形態１の手袋１００に、手袋２００の手掌側中指部１３における滑り防止領域３０と、手袋３００の中指対向部１９における滑り防止領域３０との双方が形成された構成を有している。またこれらにより、間隙部１８が手掌側中指部１３と中指対向部１９との間の領域まで、図１などの間隙部１８などに比べて手掌側親指部１１側に延長されている。この点において本実施の形態は、中指対向部１９に滑り防止領域３０が形成されるが手掌側中指部１３に滑り防止領域３０が形成されない実施の形態３の手袋３００とは異なっている。手袋４００におけるすべての滑り防止領域３０は、基本的に手袋１００に形成されるすべての滑り防止領域３０と同様の構成を有するため、ここでは説明を省略する。
【００４６】
なお、これ以外の本実施の形態の構成は、実施の形態１の構成とほぼ同じであるため同一の要素については同一の符号を付し、その説明は繰り返さない。
【００４７】
＜作用効果＞
本実施の形態の手袋４００のように滑り防止領域３０が形成されれば、実施の形態１，２，３の手袋１００，２００，３００よりも滑り防止領域３０の面積が広くなる分だけ、装着者がゴルフクラブのグリップ部などを握った際に手からグリップ部の表面が滑るなどの不具合をより確実に抑制することができ、当該グリップ部などをより確実に把持することができる。
【００４８】
しかし本実施の形態のように滑り防止領域３０の面積を広くした手袋４００においても、滑り防止領域３０は手掌側中指部１３、手掌側薬指部１４、手掌側小指部１５、薬指小指対向部１７および中指対向部１９のみに形成されており、たとえば手掌側親指部１１および手掌側人差指部１２には滑り防止領域３０は形成されない。これは上記のように、スイング時に装着者の手がさほど力を入れない領域に対応する領域においては、滑り防止よりもフィット感の向上を優先させるために滑り防止領域３０を配置させていないためである。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５０】
本発明は、ゴルフなどのスポーツ用の手袋に特に有利に適用される。
【符号の説明】
【００５１】
１  手掌側被覆部、１０  格子状パターン、１０ａ  第１パターン、１０ｂ  第２パターン、１１  手掌側親指部、１２  手掌側人差指部、１３  手掌側中指部、１４  手掌側薬指部、１５  手掌側小指部、１６  手掌側本体部、１７  薬指小指対向部、１８  間隙部、１９  中指対向部、２０  ベース部、３０  滑り防止領域、４０  縫合部、１００，２００，３００，４００  手袋、ｆ１  親指袋、ｆ２  人差指袋、ｆ３  中指袋、ｆ４  薬指袋、ｆ５  小指袋、ｆｃ  指接続部。
【図１】
2017086552.tif 000003
【図２】
2017086552.tif 000004
【図３】
2017086552.tif 000005
【図４】
2017086552.tif 000006
【図５】
2017086552.tif 000007